(57)【要約】【課題】  移動可能で気密が保たれる液体収納タンク内に液体を吸引し、吸引した液体を外部へ供給する液体吸引兼供給装置及び、この液体吸引兼供給装置を使って液体の吸引又は供給方法を提供する。【解決手段】  複数の開口部を有する移動可能で気密が保たれる液体収納タンクの一方の開口部に接続するタンク接続口と逆止弁付加圧空気挿入口と吸引機器接続口とを有する分岐接続管と、前記吸引機器接続口に吸引機器を接続しない際の吸引機器接続口密閉手段と、前記液体収納タンクの他方の開口部に接続する管状物とから成ることを特徴とする液体吸引兼供給装置、及びこの液体吸引兼供給装置を使って液体の吸引又は供給方法。【選択図】  図１
2006062699.tif 000002
【特許請求の範囲】
【請求項１】
複数の開口部を有する移動可能で気密が保たれる液体収納タンクの一方の開口部に接続するタンク接続口と逆止弁付加圧空気挿入口と吸引機器接続口とを有する分岐接続管と、前記吸引機器接続口に吸引機器を接続しない場合の吸引機器接続口密閉手段と、前記液体収納タンクの他方の開口部に接続する管状物とから成ることを特徴とする液体吸引兼供給装置。  
【請求項２】
前記液体収納タンクの一方の開口部に接続する分岐接続管のタンク接続口下方に、満液時に浮子が上昇して前記液体収納タンク内の液体が前記分岐接続管内に入るのを防止するオーバーフロー防止弁を設けたことを特徴とする請求項１記載の液体吸引兼供給装置。
【請求項３】
前記分岐接続管に安全弁を取付けたことを特徴とする請求項１又は２記載の液体吸引兼供給装置。
【請求項４】
請求項１乃至３記載の液体吸引兼供給装置を用いて外部の液体を前記液体収納タンク内に吸引するに際して、前記液体収納タンクの一方の開口部に前記分岐接続管のタンク接続口を接続し、前記液体収納タンクの他方の開口部に管状物を接続し、前記分岐接続管の吸引機器接続口に別途用意した吸引機器を接続して、前記液体収納タンク内を減圧し液体吸引することを特徴とする液体吸引方法。
【請求項５】
請求項１乃至３記載の液体吸引兼供給装置を用いて前記液体収納タンク内の液体を外部に供給するに際して、前記液体収納タンクの一方の開口部に前記分岐接続管のタンク接続口を接続し、前記吸引機器接続口密閉手段により吸引機器接続口を密閉し、前記液体収納タンクの他方の開口部に管状物を接続し、逆止弁付加圧空気挿入口に別途用意した加圧ポンプを接続し前記液体収納タンク内を加圧して液体供給することを特徴とする液体供給方法。
【発明の詳細な説明】
【技術分野】
【０００１】
本発明は、泉や小川の水又は電源トランス内の冷却廃オイル等を移動可能で気密が保たれる液体収納タンク内に吸引する液体吸引装置と、前記液体収納タンク内に吸引した水又は廃オイル等をシャワーノズル又は別のタンク等へ供給する液体供給装置とを兼用する液体吸引兼供給装置及び液体の吸引又は供給方法に関するものである。  
【背景技術】
【０００２】
山河のキャンプ場等のように、近くに水道配管が無い場所で、手洗いや炊飯用の水やシャワーを使いたい場合、従来は、泉や小川の水を杓でポリタンクに汲取って、そのポリタンクを人間の身長以上の高い場所に持上げてシャワーを浴びたり、水道代りに手洗いや炊飯用の水として供給していた。しかしながら、泉や小川の水を杓で汲取るには時間がかかり、人間の身長以上の高い場所が見付からなかった場合は、シャワーを浴びることが出来なかった。
【０００３】
また、キュウピクル内設置の電源トランス内には一般的に冷却及び絶縁オイルが封入されている。このオイルは経年変化による劣化が起こり定期的に交換が必要である。従来、このトランス内のオイルを抜き取るには、一般的にトランス上部の蓋を開け手動オイルポンプの吸引パイプをコイルに接触損傷を与えないようトランス底部まで挿入し抜取作業を行っていた。しかしながら、前記手動オイルポンプでは廃オイルが残り少なくなった時点で、吸引パイプの先端から気泡が入ると吸引パイプ内やポンプ内未排出の廃オイルが逆流して、どうしても未排出廃オイルがトランス底部に残る欠点があった。
【０００４】
特開2003-225182号公報には、ポリタンクの一方の開口部に掃除機の吸引ホースを連結することが出来る管状突出部位を有するとともに前記開口部に通常の蓋に準じて嵌合して付設固定が出来る掃除機ホース連結用部材と、他方の開口部に貯留水を吸水するための吸水ホースを連結することが出来る管状突出部位を有するとともに吸引水を容器内部に円滑に誘引させるための内部側管状突起部位を有し更には前記開口部に通常の蓋に準じて嵌合して付設固定が出来る吸水ホース連結用部材、並びに、吸水ホースとからなり、掃除機と連結し掃除機を稼働させることにより吸水機能が発現出来る吸水装置が開示されている。しかしながら、前記の吸水装置はポリタンク内へ水を吸引することは可能であるが、吸引した水を使って、噴射したり、シャワーを浴びることは出来なかった。
【０００５】
また、特開平9-192251号公報には、弾力性の有るジャバラ型貯水容器と複数孔の噴射孔を有し各々の噴射孔から水に旋回力を与えながら噴射拡散水するノズルと、送水ホースで構成され貯水容器に足を掛け体重にて圧力を掛け散水する足踏み式簡易水噴射消火器が開示されている。しかしながら、前記の簡易水噴射消火器は貯水容器に足を掛け体重にて圧力を掛け散水するものなので、多大な労力が必要であり、また、シャワー用の水噴射容器には不適切であった。更に、水をジャバラ型貯水容器へ吸引するのは容易ではない。さらに前記両公開公報共水を吸引するか、又は水を噴射するのみで、液体を吸引し、吸引した液体を外部へ供給する兼用装置ではない。
【特許文献１】特開2003-225182号公報
【特許文献２】特開平9-192251号公報
【発明の開示】
【発明が解決しようとする課題】
【０００６】
本発明の課題は、上記問題点を解決するためのもので、移動可能で気密が保たれる液体収納タンク内に液体を吸引し、吸引した液体を外部へ供給する液体吸引兼供給装置及び、この液体吸引兼供給装置を使って液体の吸引又は供給方法を提供することにある。
【課題を解決するための手段】
【０００７】
本発明者は、上記問題点を解決するために鋭意検討した結果本発明に到達したものである。即ち、本発明の装置は、複数の開口部を有する移動可能で気密が保たれる液体収納タンクの一方の開口部に接続するタンク接続口と逆止弁付加圧空気挿入口と吸引機器接続口とを有する分岐接続管と、前記吸引機器接続口に吸引機器を接続しない場合の吸引機器接続口密閉手段と、前記液体収納タンクの他方の開口部に接続する管状物とから成ることを特徴とする液体吸引兼供給装置である。
【０００８】
本発明の液体吸引兼供給装置において、前記液体収納タンクの一方の開口部に接続する分岐接続管のタンク接続口下方に、満液時に浮子が上昇して前記液体収納タンク内の液体が前記分岐接続管内に入るのを防止するオーバーフロー防止弁を設けることが好ましい。
【０００９】
また、本発明の液体吸引兼供給装置において、前記分岐接続管に安全弁を取付けることが好ましい。
【００１０】
前記本発明の液体吸引兼供給装置を用いて外部の液体を前記液体収納タンク内に吸引する方法の発明は、前記液体収納タンクの一方の開口部に前記分岐接続管のタンク接続口を接続し、前記液体収納タンクの他方の開口部に管状物を接続し、前記分岐接続管の吸引機器接続口に別途用意した吸引機器を接続して、前記液体収納タンク内を減圧し液体吸引することを特徴とする液体吸引方法である。
【００１１】
前記本発明の液体吸引兼供給装置を用いて前記液体収納タンク内の液体を外部に供給する方法の発明は、前記液体収納タンクの一方の開口部に前記分岐接続管のタンク接続口を接続し、前記吸引機器接続口密閉手段により吸引機器接続口を密閉し、前記液体収納タンクの他方の開口部に管状物を接続し、逆止弁付加圧空気挿入口に別途用意した加圧ポンプを接続し前記液体収納タンク内を加圧し液体供給することを特徴とする液体供給方法である。
【発明の効果】
【００１２】
本発明は、請求項1に記載された通りの液体吸引兼供給装置であり、請求項4に記載された液体吸引方法であり、請求項5に記載された液体供給方法なので、液体を気密が保たれる液体収納タンク内に吸引し、吸引した液体を同一の装置を使って外部に供給することができる。即ち、山河のキャンプ場等のように、近くに水道配管が無い場所で、手洗いや炊飯用の水やシャワーを使いたい場合、泉や河川の水をポリタンク内に容易に吸引することができ、吸引したポリタンクを使って水道代わりに手洗いや炊飯用の水を噴出させたり、シャワーを浴びることが出来る。また、キュウピクル内設置の電源トランス内の廃オイルを残オイルが殆ど残らないように抜き取ることができ、抜き取った廃オイルを廃油収集業者に運搬し同一の装置を使って、廃油貯蔵タンク内に供給することができる。
【００１３】
また、前記分岐接続管には安全弁が取付けられているので、加圧ポンプによってポリタンク内が異常に加圧されて、破裂する危険が無い。
【００１４】
また、前記液体収納タンクの一方の開口部に取付け可能な分岐接続管のタンク接続口下方に、満液時に浮子が上昇して前記液体収納タンク内の液体が前記分岐接続管内に入るのを防止するオーバーフロー防止弁が設けられているので、前記分岐接続管内に吸引した液体が入ることが無い。
【発明を実施するための最良の形態】
【００１５】
次に、本発明を実施するための最良の形態を図面を用いて説明する。
【００１６】
図1は、本発明の液体吸引兼供給装置を用いて、小川の清流水を吸引する際の各部品の配置を示す分解斜視図である。複数の開口部を有する移動可能で気密が保たれる液体収納タンクであるポリタンク1の一方の開口部2のタンクキャップ3の孔4に、分岐接続管5のタンク接続口6を、パッキン7を介して挿入し、図3に示すように満液時に浮子8が上昇して前記ポリタンク1内の液体が前記分岐接続管内5に入るのを防止するオーバーフロー防止弁9を螺合接続する。
【００１７】
一方、ポリタンク1の他方の開口部10に接続する管状物として、バルブ11（又はコック）付のエルボ短管12をタンクキャップ13の上にパッキン14を重ねて、ホース接続管15をタンクキャップ13の孔16の下から挿入して螺合接続する。バルブ11（又はコック）の先にはホース接続管17を螺合接続し、その先に吸液ホース18を接続し、その吸液ホース18の先端を小川の清流水19に浸ける。更に、前記分岐接続管5の吸引機器接続口20に掃除機21の吸引ホース22を接続してポリタンク1内を減圧し、バルブ11（又はコック）を開いて小川の清流水19をポリタンク1内に吸引する。掃除機21は近くに電源がない場合は、自動車用バッテリーで作動する掃除機又は充電式掃除機を使用する。
【００１８】
図２は、本発明の液体吸引兼供給装置を用いて、ポリタンク内の水をシャワーノズルに供給する際の各部品の配置を示す分解斜視図である。吸引機器接続口20から吸引ホース22を取外した後、吸引機器接続口密閉手段である密閉キャップ23を、パッキン24を介して螺合閉塞し、小川の清流水19が入っているポリタンク1を、シャワーを浴びたい場所に移動させ、ホース接続管17から吸液ホース18を外して、先端にシャワーノズル25が付いている供給ホース26と交換し、更にホース接続管15に給液管27を接続する。
【００１９】
次いで、加圧ポンプである自転車用の空気入れ28の加圧ホース29を、分岐接続管5の逆止弁付加圧空気挿入口30に接続し、ポリタンク1を自転車用の空気入れ28で加圧し、バルブ11を開いてシャワーを浴びる。その際、分岐接続管5には安全弁31が設けられているので、加圧し過ぎてポリタンク1が破裂する危険が無い。ここで自転車用の空気入れ28の代りに、自動車のバッテリーで作動する電動空気ポンプ等を使うと便利である。
【００２０】
図4は、コイル32が充満した電源トランス33内の廃オイルを抜き取る際の位置関係を部品分解して示す斜視図である。図１と異なる点のみを説明すると、ポリタンク1がドラム缶34に、一方の開口部2が35に、他方の開口部10が36に、タンクキャップ3,13が37,38に、孔4,16が39,40に、エルボ短管12が41に、小川の清流水19が電源トランス33に、吸液ホース18が吸液管42を接続したホース43に、掃除機21が真空ポンプ44になった以外は図1と同一である。
【００２１】
図4において、吸液管42を電源トランス33内のコイル32を避けた狭い間隙に挿入して、真空ポンプ44を運転してドラム缶内を減圧し、電源トランス33内の廃油を吸液管42、ホース43を経てドラム缶34内に吸引する。吸液管42はプラスチック製のものを用いるとコイル32を損傷させることがないので好ましいと言える。
【００２２】
複数の電源トランス内の廃油を吸引してドラム缶34が廃油でほぼ一杯になると、真空ポンプ44の吸引ホース45を外して廃油収集業者へ運搬する。次いで、図5に示すように、ホース接続管15に給液管46を接続し、吸引機器接続口20に吸引機器接続口密閉手段である密閉キャップ23を、パッキン24を介して螺合閉塞し、手押しポンプ47の加圧ホース48を、分岐接続管5の逆止弁付加圧空気挿入口30に接続し、ドラム缶34内を手押しポンプ47にて加圧し、ドラム缶内の廃油を廃油貯蔵タンク49内に供給する。廃油収集業者には電源があるので、手押しポンプ47の代りに、電動式コンプレッサーや圧空配管からのホース等を接続すると作業効率が向上するので好ましい。
【００２３】
本発明の装置は、以上説明した以外の用途として、就床者用の給水や簡易シャワー、及び簡易シャワーにより発生する汚水の除去、給水設備の無い山間部等の現場での簡易給水、土間等に散水され滞留した水の除去、自動車の廃エンジンオイルの抜き取り等その用途は広範囲である。  
【図面の簡単な説明】
【００２４】
【図１】本発明の液体吸引兼供給装置を用いて、小川の清流水を吸引する際の位置関係を部品分解して示す斜視図である。
【図２】本発明の液体吸引兼供給装置を用いて、ポリタンク内の水をシャワーノズルに供給する際の各部品の配置を示す分解斜視図である。
【図３】オーバーフロー防止弁の断面図である。
【図４】本発明の液体吸引兼供給装置を用いて、電源トランス内の廃オイルを抜き取る際の位置関係を部品分解して示す斜視図である。
【図５】本発明の液体吸引兼供給装置を用いて、ドラム缶の廃油を廃油貯蔵タンクへ供給する際の位置関係を部品分解して示す斜視図である。
【符号の説明】
【００２５】
1  ポリタンク                  
2  一方の開口部          
3,13  タンクキャップ  
4,16  孔      
5  分岐接続管    
6  タンク接続口  
7,14  パッキン    
8  浮子
9  オーバーフロー防止弁
10  他方の開口部
11  バルブ
12  エルボ短管
15,17  ホース接続管
18  給液ホース
19  清流水
吸引機器接続口
掃除機
吸引ホース
密閉キャップ
パッキン
シャワーノズル
供給ホース
給液管
空気入れ
加圧ホース
逆止弁付加圧空気挿入口
安全弁
コイル
電源トランス
ドラム缶
一方の開口部
他方の開口部
37,38  タンクキャップ
39,40  孔
エルボ短管
吸液管
ホース
真空ポンプ
吸引ホース
給液管
手押しポンプ
加圧ホース
廃油貯蔵タンク
【図１】
2006062699.tif 000003
【図２】
2006062699.tif 000004
【図３】
2006062699.tif 000005
【図４】
2006062699.tif 000006
【図５】
2006062699.tif 000007